(57)【要約】【課題】曲面に対して高精度のメッシュパターンを印刷することができる印刷方法及び印刷品を提供する。【解決手段】基材の表面に、ブランケットロールを用いたグラビアオフセット印刷によりメッシュパターンを印刷する印刷方法において、該基材表面の少なくとも一部が曲面よりなり、前記ブランケットロールのゴム硬度が２０度以下であることを特徴とする印刷方法。基材表面にメッシュパターンが印刷された印刷品であって、前記基材表面の曲面の曲率半径が３０〜５０００ｍｍであり、前記メッシュパターンにおける線幅が１〜５０μｍであり、線と線の間隔が５０〜３００μｍであり、かつ、パターン精度（設計メッシュパターン格子長と印刷メッシュパターン格子長との差異の割合）が２５％以下であることを特徴とする印刷品。【選択図】図１
2019202476.tif 000002
【特許請求の範囲】
【請求項１】
基材の表面に、ブランケットロールを用いたグラビアオフセット印刷によりメッシュパターンを印刷する印刷方法において、
該基材表面の少なくとも一部が曲面よりなり、
前記ブランケットロールのゴム硬度が２０度以下であることを特徴とする印刷方法。
【請求項２】
前記ブランケットロールのゴム硬度が１〜１５度であることを特徴とする請求項１の印刷方法。
【請求項３】
前記基材表面の曲面の曲率半径が５０〜５０００ｍｍであることを特徴とする請求項１又は２の印刷方法。
【請求項４】
印刷される前記基材表面の全面が曲面であることを特徴とする請求項１〜３のいずれかの印刷方法。
【請求項５】
前記凹版のメッシュパターンの印刷方向における格子長を、設計メッシュパターンの格子長よりも小さく設定し、該印刷方向と直交方向における格子長さを設計メッシュパターンの格子長よりも大きく設定することを特徴とする請求項１〜４のいずれかの印刷方法。
【請求項６】
基材表面にメッシュパターンが印刷された印刷品であって、前記基材表面は曲率半径が５０〜５０００ｍｍである１または２以上の曲面を有し、前記メッシュパターンにおける線幅が１〜５０μｍであり、線と線の間隔が５０〜３００μｍであり、かつ、
パターン精度（設計メッシュパターン格子長と印刷メッシュパターン格子長との差異の割合）が２５％以下であることを特徴とする印刷品。
【請求項７】
前記基材表面の曲面の頂部と麓部の高低差が０．３ｍｍ以上１００ｍｍ以下であることを特徴とする請求項６に記載の印刷品。
【請求項８】
前記印刷品の印刷部に無機微粒子が含有されており、粒径が２．０μｍ以下であることを特徴とする請求項６又は７の印刷品。
【請求項９】
前記印刷品の基材が熱可塑性樹脂であることを特徴とする請求項６〜８のいずれか１項に記載の印刷品。
【請求項１０】
前記メッシュパターンにおける線幅の印刷精度の範囲が±０．１μｍ以上±０．５μｍ以下であることを特徴とする請求項６〜９のいずれか１項に記載の印刷品。
【請求項１１】
前記メッシュパターンが、基材曲面の頂部および／または麗部に付与されており、印刷面積が基材投影面積のうち１％以上１００％以下であることを特徴とする請求項６〜１０のいずれか１項に記載の印刷品。
【発明の詳細な説明】
【技術分野】
【０００１】
本発明は、グラビアオフセット印刷方法に係り、特に、少なくとも一部が曲面となっている基材表面にメッシュパターンをグラビアオフセット印刷する方法に関する。また、本発明はメッシュパターンの印刷精度に優れる印刷品に関する。
【背景技術】
【０００２】
基板上に導電性細線が形成された配線板は、各種電子機器における透明電極、電磁波シールド、タッチパネル等の部材として汎用されている。特に、タッチパネルは、携帯電話等の情報通信機器をはじめとする各種表示素子において広く用いられており、透明基板を用いた配線板は、重要な部材となっている。
【０００３】
配線を備えた回路基板として、スクリーン印刷法により、銀等の導電性粒子を含む導電性インクでパターンを形成し、これを１５０℃程度の比較的低温で加熱処理することにより、配線パターンを形成して製造されたものがある（例えば特許文献１）。特許文献１には、配線として線幅が５０〜７０μｍ程度のものを形成でき、タッチパネルの製造へ応用できることも開示されている。
【０００４】
特許文献２には、グラビアオフセット印刷法により、銀等の導電性粒子を含む導電性インクでパターンを形成して製造されたものが開示されており、配線として線幅が２〜２０μｍ程度のものを形成でき、タッチパネルの製造へ応用できることも開示されている。
【先行技術文献】
【特許文献】
【０００５】
【特許文献１】特開２０１２−２５３１７２号公報
【特許文献２】特願２０１５−５５９１４１号公報
【発明の概要】
【発明が解決しようとする課題】
【０００６】
特許文献１に記載される方法では、設計した微細配線パターンを基材表面に付与することが可能である。しかしながら、基材表面の形状が平面に限定され、曲面形状の基材に印刷することができない。
【０００７】
上記特許文献２に記載される方法では、ある程度の曲面には印刷可能であるが、曲率半径の小さい曲面を有する基材表面への印刷は困難であった。また、ブランケットの変形に伴う印刷パターンの歪みが発生するため、印刷パターンの精度が低下し易い。
【０００８】
本発明は、曲面に対して高精度のメッシュパターンを印刷することができる印刷方法及び印刷品を提供することを目的とする。
【課題を解決するための手段】
【０００９】
本発明のグラビアオフセット印刷方法は、基材の表面に、ブランケットロールを用いたグラビアオフセット印刷によりメッシュパターンを印刷する印刷方法において、該基材表面の少なくとも一部が曲面よりなり、前記ブランケットロールのゴム硬度が２０度以下であることを特徴とする。
【００１０】
本発明の一態様では、前記ブランケットロールのゴム硬度が１〜１５度である。
【００１１】
本発明の一態様では、前記基材表面の曲面の曲率半径が５０〜５０００ｍｍである。
【００１２】
本発明の一態様では、印刷される前記基材表面の全面が曲面である。
【００１３】
本発明の一態様では、前記凹版のメッシュパターンの印刷方向における格子長を、設計メッシュパターンの格子長よりも小さく設定し、該印刷方向と直交方向における格子長さを設計メッシュパターンの格子長よりも大きく設定する。
【００１４】
本発明の印刷品は、基材表面にメッシュパターンが印刷された印刷品であって、前記基材表面は曲率半径が５０〜５０００ｍｍである１または２以上の曲面を有し、前記メッシュパターンにおける線幅が１〜５０μｍであり、線と線の間隔が５０〜３００μｍであり、かつ、パターン精度（設計メッシュパターン格子長と印刷メッシュパターン格子長との差異の割合）が２５％以下であることを特徴とする。
【００１５】
本発明の一態様では、前記基材表面の曲面の頂部と麓部の高低差が０．３ｍｍ以上１００ｍｍ以下である。
【００１６】
本発明の一態様では、前記印刷品の印刷部に無機微粒子が含有されており、粒径が２．０μｍ以下である。
本発明の一態様では、前記印刷品の基材が熱可塑性樹脂である。
【００１７】
本発明の一態様では、前記メッシュパターンにおける線幅の印刷精度の範囲が±０．１μｍ以上±０．５μｍ以下である。
【００１８】
本発明の一態様では、前記メッシュパターンが、基材曲面の頂部および／または麗部に付与されており、印刷面積が基材投影面積のうち１％以上１００％以下である。
【発明の効果】
【００１９】
ブランケットロールとして、印刷の際に基材曲面に対して十分追従する低硬度のものを用いることにより、印刷時のブランケット変形に伴う印刷歪みを減少させ、曲率半径の小さい曲面を有する基材表面に対しても高精度のメッシュパターンを印刷することができる。
【図面の簡単な説明】
【００２０】
【図１】本発明方法の一例を示す概略断面図である。
【図２】本発明のメッシュパターンを説明する模式図である。
【図３】本発明のメッシュパターンの他の一例を説明する模式図である。
【図４】メッシュパターンの開口の引き伸ばしを説明する模式図である。
【図５】（Ａ）は基材の斜視図、（Ｂ）は（Ａ）のＡ−Ａ線断面図である。
【発明を実施するための形態】
【００２１】
以下、本発明についてさらに詳細に説明する。
【００２２】
＜グラビアオフセット印刷方法＞
本発明のグラビアオフセット印刷方法では、非常に軟らかいオフセットロールを適用した印刷手法により、基材にメッシュパターンを付与することが出来る。
【００２３】
図１は本発明のグラビアオフセット印刷方法の一例を説明する模式的な縦断面図である。グラビア版１に付与するメッシュパターンと同じ形状に刻印された凹版１ａが設けられており、シリンダ２及びドクターブレード３によってインクが凹版１ａに充填される。ブランケットロール４が該凹版１ａ上を転動することによりインクがブランケットロール４に受理（転写）され、ブランケットロール４が基材５上を転動することにより基材表面５ａにメッシュパターンを印刷する。この基材表面５ａは全面的に曲面（この実施の形態では凸曲面）となっている。
【００２４】
インクを基材表面５ａに転写した後、加熱工程を行い、インク中の溶媒除去、およびインクの硬化工程を行ってもよい。加熱工程の加熱温度は、６０℃以上１２０℃以下であることが好ましく、７０℃以上１１０℃以下であることがより好ましく、８０℃以上１００℃以下であることがさらに好ましい。
【００２５】
＜印刷基材＞
印刷基材表面の曲面は、曲率半径が５０〜５０００ｍｍ、特に５０〜４０００ｍｍ、とりわけ５０〜３０００ｍｍであることが好ましい。
【００２６】
また、印刷基材表面の曲面は１つでも良いし２つ以上あっても良い。２つ以上の曲面を有する場合、それらは連続していても不連続であってもよい。
【００２７】
さらに、印刷基材表面の曲面について、基材を水平に接地した際の接地面からの高さが最も高い部分を頂部とし、最も低い部分を麓部とする。曲面が２つ以上存在する場合には、それぞれの曲面において頂部と麓部が存在する。このとき、頂部と麓部の高低差は０．３ｍｍ以上１００ｍｍ以下であることが好ましい。
【００２８】
基材の材料や色は、特に限定されるものではなく、用途に応じて適宜決定される。例えば、透明、半透明または不透明の無機材料（例えば無機ガラス）や樹脂材料等からなる基材を使用することができ、作業性の観点からは、軽量で薄型の樹脂基材が好ましい。具体的には、ポリオレフィ￥ン系樹脂、ポリエステル系樹脂、ポリカーボネート系樹脂、アクリル系樹脂、エステル系樹脂、ポリスチレン系樹脂等が挙げられる。これらは、１種単独でも、２種以上による複合基材であってもよい。
【００２９】
＜凹版＞
本発明に使用できる凹版は、その加工方法によりある程度の材質が限定される場合がある。例えば、エッチングにより作製される場合には、ガラス、石英、銅など、アディティブ法により作製される場合には、スズニッケル等の合金、レーザアブレーションにより作製される場合には、当該レーザ光の波長を吸収する金属などである。
【００３０】
印刷の観点から見た版の材質は、作業性、耐薬品性、耐衝撃性の観点から金属材料であることが好ましい。具体的には、ステンレス、鉄、アルミニウム、銅、チタン等を使用することができる。
【００３１】
また、微細なパターンを形成するためには、レーザによるミクロンオーダーの微細加工が可能である材質であることが好ましい。このような材質としては、例えば、金属、金属酸化物又は樹脂等が挙げられる。なかでも
【００３２】
凹版の作製方法は、特に限定されることはなく、一般的に金属や樹脂を加工する方法を用いることができる。例えば、電気分解した金属イオンを基材表面へ電着させ、パターンを形成させることにより凹版を製作することができる。また、感光性樹脂を用いて露光、エッチングする簡易な手法を用いることも可能である。
【００３３】
＜メッシュパターンの形状＞
本発明において、印刷されるメッシュパターンの形状は、特に限定されるものではない。例えば、図３（ａ）（ｂ）に示すような、クロス形状、ハニカム形状等のパターンのように、特定の形状が繰り返され、かつ微細配線が連続しており、途切れることがないパターンである。このように、空間を導電性の材料で囲むことによって等電位面を形成し、その内部への電界の侵入を抑制するファラデー効果を発現する形状であればよく、閉じたパターンの繰り返しであればよい。
【００３４】
メッシュ開口が図２（ａ）（ｂ）に示すような正方形又は菱形となるクロス形状のメッシュパターンの場合、図４に示すように、一方の対角線（メッシュ開口の対角線）が印刷方向（ＭＤ）となり、他方の対角線が印刷方向と直交方向（ＴＤ）となることが好ましい。
【００３５】
メッシュパターンの線幅は通常１〜５０μｍ特に５〜３０μｍ程度であり、平行な線同士の間の間隔は５０〜３００μｍ程度である。
【００３６】
＜ブランケットロール＞
本発明に使用されるブランケットロールは、ゴム硬度が２０度以下、好ましくは１〜１５度特に好ましくは１〜１０度である。なお、本発明では、ゴム硬度はデュロメータを用いたショアＡ硬度である。
【００３７】
ブランケットロールの材質は、特に限定されるものではないが、凹凸面や曲面等の３次元表面形状を有する樹脂成形体等の基材表面にコーティングを可能とする観点から、ゴム又は樹脂であることが好ましく、特に、弾性を有することから、ゴムが好ましい。具体的には、ニトリルゴム、水素化ニトリルゴム、フッ素ゴム、シリコーンゴム、ウレタンゴム、エチレンプロピレンゴム、クロロプレンゴム、スチレンブタジエンゴム、ブタジエンゴム、及びこれらのうちの２種以上からなる混合物等が挙げられる。これらの中でも、耐溶剤性が高い、濡れ張力が低く溶媒の選択肢の幅が広がる等の観点から、シリコーンゴムが好適である。
【００３８】
ブランケットロールの形状は円筒形であり、その厚さおよびサイズは印刷対象物となる印刷基材の形状に依存する。ブランケットロールの円筒形の長軸長さは、印刷対象物の１．２倍以上、好ましくは１．５倍以上有することが好ましい。なぜなら、軟らかいブランケットロールは、印刷圧力により大きく変形し、印刷パターンを歪める原因となるが、その歪みはブランケットロールの端に行くほど大きくなるためである。また、ブランケットロールの直径は、当該ロールの円周長さが印刷対象物の１．２倍以上好ましくは１．５倍以上とすることが好ましい。
【００３９】
例えば、印刷基材の形状が２００ｍｍ四方程度であれば、円筒形の長軸長さはその１．５倍以上の約３００ｍｍ、半径は約１００ｍｍとすれば当該樹脂成形品を一度に印刷することが可能である。
【００４０】
＜インク＞
本発明の印刷方法で使用されるインクは、好ましくは導電性の無機微粒子を含む。無機微粒子の粒径は０．１μｍ以上２．０μｍ以下であることが好ましく、０．３μｍ以上１．５μｍ以下であることがより好ましく、０．５μｍ以上１．０μｍ以下であることがさらに好ましい。導電性無機微粒子としては、金、銀、銅、ニッケル、スズなどが例示される。インクは、無機微粒子の他、溶剤、バインダー樹脂、助剤などの通常のインク材料を含有する。
【００４１】
無機微粒子のインク全量における含有量は６０ｗｔ％以上８５ｗｔ％以下であることが好ましく、６５％以上８０％以下であることがより好ましく、７０ｗｔ％以上７５ｗｔ％以下であることがさらに好ましい。
【００４２】
＜凹版メッシュパターンの補正＞
本発明で用いるブランケットロールは、ゴム硬度が低いので図１，３のように凸に湾曲した曲面に対し図１のように押し付けられたときに、ブランケットロール外周面のうち基材に押し付けられた部位が周方向に伸長し易い。そのため、図１の印刷方法に従ってメッシュパターンの印刷を施した場合、印刷されたメッシュパターンは、図２に模式的に図示されるように、原メッシュパターンすなわち凹版メッシュパターンに比べて印刷方向（ＭＤ方向）に引き伸ばされ、逆に印刷方向と直交方向（ＴＤ方向）には縮むことになる。
【００４３】
そのため、本発明方法によってメッシュパターンを印刷する場合には、原メッシュパターンのＭＤ方向長さを製品基材表面上におけるメッシュパターンのＭＤ方向長さよりも所定比率小さいものとし、ＴＤ方向においては原メッシュパターンの長さを製品基材表面上のメッシュパターンの長さよりも所定比率大きい補正原メッシュパターンとすることが好ましい。これにより、メッシュパターンの格子長の設計値（目標値）と実際の印刷品との差異の割合を小さい（例えば２５％以下）とすることができる。
【実施例】
【００４４】
以下、本発明を実施例及び比較例により詳細に説明するが、本発明はこれにより限定されるものではない。
【００４５】
［実施例１〜９、比較例１，２］
図３に示す基材に対し、図１に示す方法に従ってメッシュパターンを印刷した。即ち、下記の凹版に下記のインクを充填し、ブランケットロールにインクを受理させた後、基材表面に転写させた。次いで、１１０℃の温度で１分加熱することにより硬化させて、メッシュ印刷部を形成した。そして、後述の方法でブランケット追従性及び印刷パターン精度を評価し、結果を表１に示した。
【００４６】
＜基材＞
ポリカーボネート製の下記寸法の基材（１）又は基材（２）を用いた。
【００４７】
基材（１）：ＭＤ長さ（図３のａ）６０ｍｍ×ＴＤ長さ（図３のｂ）１２０ｍｍ×厚さ２ｍｍ（図３のｃ）、曲率半径ｒ＝８００ｍｍ（実施例２〜９、比較例１，２で使用）
基材（２）：ＭＤ長さ４０ｍｍ×ＴＤ長さ７６ｍｍ×厚さ０．３ｍｍ、曲率半径ｒ＝５５ｍｍ（実施例１のみ使用）
【００４８】
＜凹版＞
凹版パターン：メッシュパターン（直交クロス形状）
パターンの方向：メッシュ開口の一方の対角線方向は印刷方向（ＭＤ方向）、他方の対角線方向は印刷方向と直交方向（ＴＤ方向）
パターン線幅：１０μｍ
パターン間隔：３００μｍ（メッシュ開口の対角線長さ４２４μｍ）
パターン深度：１０μｍ
【００４９】
＜ブランケットロール＞
材質：ポリジメチルシロキサン
直径：１００ｍｍ
幅：１３０ｍｍ
ショアＡ硬度：１度、３度、６度、１５度又は３０度
【００５０】
＜インク＞
無機微粒子：銀（平均粒径０．５μｍ）７２ｗｔ％
バインダー樹脂：フェノール系熱硬化性樹脂２５ｗｔ％
溶媒：イソホロン２ｗｔ％
【００５１】
＜評価方法＞
（１）ブランケット追従性
ブランケットロールに受理させたインクを、印刷基材上に転写させる際、ブランケットロールの基材全面に対する追従性を、基材に印刷されたパターンの印刷状態を目視で確認した。評価基準は以下とした。
○：基材全面にパターンが印刷されている。
×：基材全面にはパターンが印刷されていない。
【００５２】
（２）印刷パターン精度
図３（Ａ）の「測定箇所」にて示す箇所におけるメッシュパターンについて、設計パターンの再現性を顕微鏡で観察することにより評価した。設計パターンに対する印刷パターンの差異は、設計メッシュパターン格子長（メッシュ開口のＭＤ方向対角線長さ）に対する、設計メッシュパターン格子長と印刷メッシュパターン格子長との差の割合を算出することにより評価した。
【００５３】
＜結果及び考察＞
それぞれの工程について、上記評価を行い、結果を表１に示した。
【００５４】
なお、表１における「凹版補正無」は、本実施例の上記＜凹版＞の項に記載した通りのメッシュパターンにて印刷したことを表わす。「凹版補正有」とは、凹版におけるメッシュパターンのＭＤ方向長さを２２％小さくし、ＴＤ方向長さを７％大きくした補正メッシュパターンを有した凹版を用いたことを表わす。
【００５５】
【表１】
2019202476.tif 000003
【００５６】
表１の通り、本発明方法により印刷を行った曲面メッシュ印刷品は、基材表面が曲面であるにもかかわらず、メッシュパターンの精度が良好である。従って、本発明方法によると、印刷品の部位ごとにおけるパターンのムラを抑制することが可能となり、外観に優れた曲面印刷品を得ることができる。また、導電性パターンを印刷した場合には、印刷面全面において一定範囲内の安定した導電性を付与することができる。
【図１】
2019202476.tif 000004
【図２】
2019202476.tif 000005
【図３】
2019202476.tif 000006
【図４】
2019202476.tif 000007
【図５】
2019202476.tif 000008